(57)【特許請求の範囲】
【請求項１】
地下の掘削工事効率化を計るために行う地下水位低下のための揚水管を、地下の掘削工事終了後、閉塞撤去する方法であって、
揚水スルース弁を介して排水パイプ、排水スルース弁、圧力計、別の排水パイプに取り付けた弁等から構成した揚水設備を取り付けた地下水位低下のための揚水管を設置する時に、
前記揚水管の近傍にモルタル注入管、エア抜き管も設置しておき、
地下の掘削工事の終了後に、揚水施設を撤去するに際し、
揚水スルース弁を閉塞し、前記揚水スルース弁閉塞時の揚水管の水圧を確認後、
揚水管と前記揚水スルース弁以外の揚水設備を撤去し、
モルタル注入用の弁を前記モルタル注入管に取り付け、
前記揚水スルース弁閉塞時の揚水管の水圧以上に設定した注入圧で地中にモルタル注入すると共に、前記エア抜き管よりエア抜きを行い、
前記エア抜き管より注入したモルタルが噴出した時点でモルタル注入を中止することを特徴とする、
高水圧の揚水管閉塞方法。
【発明の詳細な説明】
【０００１】
【発明の属する技術分野】
本発明は使用後の不要となった揚水管の閉塞方法に関する。
【０００２】
【従来の技術】
地下の掘削工事効率化を計るために行う地下水位低下のための揚水管を、地下の掘削工事終了後、閉塞撤去する場合、揚水管にバルブを取り付け揚水管内にモルタル注入を行い、揚水管を閉塞していた。
【０００３】
しかしこの方法では、閉塞のためのモルタルが分離してしまうため、
▲１▼  効果的な閉塞が行えない。
▲２▼  高水圧の地下水による噴出事故等が発生する。
▲３▼  閉塞のために費やした多大な費用が無駄となる。
等の点で問題があった。
【０００４】
【発明が解決しようとする課題】
本発明は、上記従来の問題点を解決するためになされたもので、簡単な方法により、効率的にかつ確実に高水圧の揚水管を閉塞することができる方法を提供することを目的とする。
【０００５】
【課題を解決するための手段】
上記のような目的を達成する本発明の高水圧の揚水管閉塞方法は、地下の掘削工事効率化を計るために行う地下水位低下のための揚水管を、地下の掘削工事終了後、閉塞撤去する方法であって、揚水スルース弁を介して排水パイプ、排水スルース弁、圧力計、別の排水パイプに取り付けた弁等から構成した揚水設備を取り付けた地下水位低下のための揚水管を設置する時に、前記揚水管の近傍にモルタル注入管、エア抜き管も設置しておき、地下の掘削工事の終了後に、揚水施設を撤去するに際し、揚水スルース弁を閉塞し、前記揚水スルース弁閉塞時の揚水管の水圧を確認後、揚水管と前記揚水スルース弁以外の揚水設備を撤去し、モルタル注入用の弁を前記モルタル注入管に取り付け、前記揚水スルース弁閉塞時の揚水管の水圧以上に設定した注入圧で地中にモルタル注入すると共に、前記エア抜き管よりエア抜きを行い、前記エア抜き管より注入したモルタルが噴出した時点でモルタル注入を中止することを特徴としたものである。
【０００６】
【発明の実施の形態】
以下図面を参照しながら、本発明の実施形態について説明する。
【０００７】
＜イ＞全体構成
図１は本発明による高水圧の揚水管閉塞方法を示す側断面図である。
地下の掘削工事効率化を計るために行う地下水位低下のための揚水管１を、地下の掘削工事終了後、閉塞撤去する方法であって、地下水位低下のための揚水管１を設置時に、揚水管１の近傍にモルタル注入管２、エア抜き管３を設置しておき、揚水スルース弁４を閉塞し、閉塞時の揚水管１の水圧を確認後、揚水管１と揚水スルース弁４以外の揚水設備を撤去し、前記水圧以上に設定した注入圧でモルタル注入すると共に、エア抜きを行い、エア抜き管３よりモルタルが噴出した時点でモルタル注入を中止する、高水圧の揚水管閉塞方法である。
【０００８】
＜ロ＞揚水設備
図１における揚水設備Ａは、従来から使用されている揚水のための設備機器類の配置図である。
地下水を揚水のため地中深くに設置された揚水管１の頂部に、揚水スルース弁４を取り付け、この揚水スルース弁４を介して揚水設備Ａが設置される。
揚水設備Ａは、たとえば排水パイプ５、排水スルース弁６、圧力計７、別の排水パイプ５に取り付けた弁８等から構成されている。
本実施例においては、前記揚水設備Ａが底床版９の上面に位置するように予め設置されている。
また、工事終了後、前記揚水スルース弁４が底床版９の厚さ内に収納されるように予め設置されており、工事中は揚水スルース弁４が設置されている部分の底床版９は箱抜きされている。
本実施例においては、揚水設備Ａは地下階に設置されているため、その上部の地上部にマンホール１０を設置すると共に、揚水設備Ａを作動させる操作盤１１が設置されている。
【０００９】
＜ハ＞閉塞設備
地下階に揚水設備Ａを設置時に、揚水管１の近傍にモルタル注入管２、エア抜き管３が設置される。
モルタル注入管２、エア抜き管３は従来から使用されているものでよく、それぞれの上端は盲フランジ１２により蓋がされている。
【００１０】
【作用】
以下に、本発明による高水圧の揚水管閉塞方法を説明する。
【００１１】
＜イ＞揚水設備の撤去
操作盤１１により揚水設備Ａのポンプ運転スイッチを切って揚水スルース弁４を閉塞し、揚水管１の運転を停止する。
揚水スルース弁４を閉塞した時には、揚水管１の水圧を確認しておく。
ポンプの運転停止後、ポンプの電気配線設備の撤去を行い、引き続き揚水スルース弁４上部の揚水設備Ａを解体撤去する。
【００１２】
＜ロ＞揚水管の閉塞
底床版９上にモルタル注入用プラント設備等を組み立てる。
モルタル注入管２、エア抜き管３上端の盲フランジ１２を撤去し、モルタル注入管２にモルタル注入用の弁を取り付け、エア抜き管３にはエア抜き用弁を取り付ける。
モルタル注入に際しては、予め揚水管１の水圧が確認してあるので、その水圧以上に設定した注入圧でモルタル注入するものである。
たとえば水圧が１．５気圧であった場合、注入圧は２．０〜３．０気圧に設定する。
モルタル注入量は、事前に設計注入量を算定しておき実施する。
モルタル注入作業時は、注入圧の変化に注意してエア抜き管３からのエア、地下水の流出量を目視により確認しながら、エア抜き管３からモルタルが流出しはじめた時、モルタル注入作業を終了する。
注入作業が終了後、すべての弁を閉塞して注入したモルタルの養生を行う。
【００１３】
＜ハ＞注入材料
閉塞に用いるモルタルについては、揚水管１内が被圧水位が高く、静水位状態ではないため、水中でモルタルが分離する可能性がある。
本実施例において使用するモルタルは、水中モルタルとして水中不分離性コンクリート用混和剤を混入したモルタルを使用する。
このモルタルを使用することにより、ワーカビリティーがよく、ブリージング量も少ないため、材料分離等によるセメントが流出する可能性もなく、水質汚濁の心配がない。
また、強度的にもコンクリート本来の強度を維持し、材料本体がアルカリ性であるため、金属鋼材等への腐食の心配もない。
【００１４】
＜ニ＞漏水の確認とその処置
モルタル注入作業が終了後、注入した揚水管１内から漏水、出水等がないか確認する。漏水等がない場合には、揚水スルース弁４、注入弁等を撤去して盲フランジ１２を取り付ける。
漏水等がある場合には、漏水箇所にドリル等を使用して孔をあけ、注入用プラグを取り付け、たとえば発泡ウレタン系材料を注入し、止水注入を終了する。
【００１５】
＜ホ＞底床版切欠き部の閉塞
揚水管１内の閉塞完了後底床版９切欠き部、及びその下部（点線部のコンクリート打設部１３）の閉塞を行う。
切欠き部１３に鉄筋組立てを行い、無収縮モルタル等を打設し閉塞する。
【００１６】
【発明の効果】
本発明は以上説明したようになるから、次のような効果を得ることができる。
＜イ＞注入時の水圧管理を行ってから注入するので、モルタルの分離を抑制できる。
＜ロ＞モルタルは、水中不分離性コンクリート用混和剤を混入したモルタルを使用するので、モルタルの分離を抑制でき、高密度に充填できる。
＜ハ＞揚水管内の閉塞完了後、地下水が噴出することがないので、工費の節減ができる。
【図面の簡単な説明】
【図１】本発明による高水圧の揚水管閉塞方法を示す側断面図。
【図１】
0004293649.tif 000002